(57)【要約】【課題】より確実に、鮮明に原稿を読み取ることのできる密着型画像読取装置を提供すること。【解決手段】原稿５０の画像を読み取ることができる画像読取部１５と、原稿５０を画像読取部１５に対して押圧可能な蓋部５と、原稿５０と画像読取部１５との密着度を検出する複数の距離センサ３０と、距離センサ３０での検出結果に基づいて原稿５０と画像読取部１５との密着度は十分であるか否かの判定を行う密着度判定部４２と、密着度判定部４２の判定結果に基づいて原稿５０と画像読取部１５との密着度を通知するＬＥＤ１０と、密着度判定部４２の判定結果に基づいて画像読取部１５に対して原稿５０の画像の読み取りを開始させる読取起動部４３と、を備える。【選択図】図５
2011188234.tif 000002
【特許請求の範囲】
【請求項１】
原稿の画像を読み取ることができる画像読取部と、
前記原稿を前記画像読取部に対して押圧可能な押圧部材と、
前記原稿と前記画像読取部との密着度を検出する複数の密着度検出装置と、
前記密着度検出装置での検出結果に基づいて前記原稿と前記画像読取部との密着度は十分であるか否かの判定を行う密着度判定部と、
前記密着度判定部の判定結果に基づいて前記原稿と前記画像読取部との密着度を通知する密着度通知装置と、
前記密着度判定部の判定結果に基づいて前記画像読取部に対して前記原稿の画像の読み取りを開始させる読取開始指示部と、
を備えることを特徴とする密着型画像読取装置。
【請求項２】
前記密着度検出装置は、前記画像読取部と前記押圧部材との距離を検出することにより前記原稿と前記画像読取部との密着度を検出することを特徴とする請求項１に記載の密着型画像読取装置。
【請求項３】
前記密着度検出装置は、非接触型のセンサにより設けられていることを特徴とする請求項１または２に記載の密着型画像読取装置。
【請求項４】
前記密着度判定部は、複数の前記密着度検出装置の検出結果が全て所定の基準を満たしている場合に前記原稿と前記画像読取部との密着度は十分であると判定することを特徴とする請求項１〜３のいずれか１項に記載の密着型画像読取装置。
【請求項５】
前記密着度通知装置は、複数の前記密着度検出装置に対応して複数設けられており、且つ、対応している前記密着度検出装置の検出結果に基づいて前記原稿と前記画像読取部との密着度を通知することにより、前記原稿と前記画像読取部との密着度が十分ではない箇所を通知することを特徴とする請求項１〜４のいずれか１項に記載の密着型画像読取装置。
【請求項６】
前記読取開始指示部は、前記原稿と前記画像読取部との密着度は十分であるとの判定を行った後、一定時間内に前記画像読取部に対して前記原稿の画像の読み取りを開始させることを特徴とする請求項１〜５のいずれか１項に記載の密着型画像読取装置。
【請求項７】
前記押圧部材には、前記原稿の画像を読み取ることができる第２画像読取部が設けられており、前記読取開始指示部で前記画像読取部に対して前記原稿の画像の読み取りを開始させる場合には、前記読取開始指示部は、前記第２画像読取部にも前記原稿の画像の読み取りを開始させることを特徴とする請求項１〜６のいずれか１項に記載の密着型画像読取装置。
【発明の詳細な説明】
【技術分野】
【０００１】
本発明は、密着型画像読取装置に関する。
【背景技術】
【０００２】
画像読取装置は、検出した光を電気信号に変換する受光素子を備え、画像を読み取る原稿で反射した光で反射した光を、この受光素子で検出して電気信号に変換することにより、原稿の画像を電気的に処理している。また、このように原稿で反射した光を受光素子で検出する従来の画像読取装置では、距離センサを設けて、この距離センサでの検出結果を用いて適切な画像の読み取りを行っている。
【０００３】
例えば、特許文献１に記載された原稿読取装置では、距離センサを複数設けて、原稿を押圧する原稿カバーの開閉量を距離センサで検出することにより、原稿を読み取る際に原稿カバーが開かれた状態で読み取ることを抑制している。また、特許文献２に記載された画像読取装置では、撮像センサと圧力センサとをシート状に混載させ、原稿の読み取り時には圧力センサで原稿の密着度を検出することにより、原稿が密着していないことにより生じる読取画像の劣化を抑制している。
【先行技術文献】
【特許文献】
【０００４】
【特許文献１】特開平７−２５０２１６号公報
【特許文献２】特開２００７−１７３９４６号公報
【発明の概要】
【発明が解決しようとする課題】
【０００５】
ここで、近年の画像読取装置の中には、装置の小型化を図るため構成を簡略化し、原稿を読み取る際には、読み取り部分に原稿を密着させて読み取る密着型画像読取装置がある。しかし、このような密着型画像読取装置では、装置を小型化させることができる一方、密着型ではない画像読取装置と比較して、原稿の画像を読み取る際における原稿と読み取り部分との距離がシビアなものになっており、原稿を読み取る際に、読み取り部分への原稿の密着が不十分である場合には、画像劣化する場合があった。
【０００６】
本発明は、上記に鑑みてなされたものであって、より確実に、鮮明に原稿を読み取ることのできる密着型画像読取装置を提供することを目的とする。
【課題を解決するための手段】
【０００７】
上述した課題を解決し、目的を達成するために、本発明に係る密着型画像読取装置は、原稿の画像を読み取ることができる画像読取部と、前記原稿を前記画像読取部に対して押圧可能な押圧部材と、前記原稿と前記画像読取部との密着度を検出する複数の密着度検出装置と、前記密着度検出装置での検出結果に基づいて前記原稿と前記画像読取部との密着度は十分であるか否かの判定を行う密着度判定部と、前記密着度判定部の判定結果に基づいて前記原稿と前記画像読取部との密着度を通知する密着度通知装置と、前記密着度判定部の判定結果に基づいて前記画像読取部に対して前記原稿の画像の読み取りを開始させる読取開始指示部と、を備えることを特徴とする。
【０００８】
この発明では、原稿と画像読取部との密着度を検出する密着度検出装置での検出結果に基づいて原稿と画像読取部との密着度は十分であるか否かの判定を密着度判定部で行い、この密着度判定部の判定結果に基づいて、読取開始指示部で画像読取部に対して原稿の画像の読み取りを開始させるので、密着度が十分である場合にのみ、画像の読み取りを行うことができる。また、密着度判定部の判定結果に基づいて原稿と画像読取部との密着度を密着度通知装置で通知し、また、この発明に係る密着型画像読取装置は、原稿を画像読取部に対して押圧可能な押圧部材を備えているので、密着度が十分ではないとの通知が密着度通知装置により行われた場合には、押圧部材で原稿を押圧することにより、密着度を上げることができる。これにより、原稿と画像読取部との密着度が不十分である場合でも密着度を上げることができ、十分な密着度になったら、画像の読み取りを行うことができる。これらの結果、より確実に、鮮明に原稿を読み取ることができる。
【０００９】
また、上記密着型画像読取装置において、前記密着度検出装置は、前記画像読取部と前記押圧部材との距離を検出することにより前記原稿と前記画像読取部との密着度を検出することが好ましい。
【００１０】
この発明では、画像読取部と押圧部材との距離を検出することにより原稿と画像読取部との密着度を検出するので、容易に密着度を検出することができる。この結果、鮮明な原稿の読み取りを、より容易に行うことができる。
【００１１】
また、上記密着型画像読取装置において、前記密着度検出装置は、非接触型のセンサにより設けられていることが好ましい。
【００１２】
この発明では、密着度検出装置に非接触型のセンサを用いるので、より確実に密着度を検出することができる。つまり、接触型のセンサは、検出対象以外のものが接触した場合でも検知するので、誤検知をする場合があり、また、作動部分を有するセンサは、作動不良を起こした際に誤検知をする場合がある。これらに対し、非接触型のセンサでは、これらの不具合が発生しないため、より確実に密着度を検出することができる。この結果、より確実に、鮮明に原稿を読み取ることができる。
【００１３】
また、上記密着型画像読取装置において、前記密着度判定部は、複数の前記密着度検出装置の検出結果が全て所定の基準を満たしている場合に前記原稿と前記画像読取部との密着度は十分であると判定することが好ましい。
【００１４】
この発明では、複数の密着度検出装置の検出結果が全て所定の基準を満たしている場合に原稿と画像読取部との密着度は十分であると判定するので、密着度の判定を、より確実に行うことができる。この結果、より確実に、鮮明に原稿を読み取ることができる。
【００１５】
また、上記密着型画像読取装置において、前記密着度通知装置は、複数の前記密着度検出装置に対応して複数設けられており、且つ、対応している前記密着度検出装置の検出結果に基づいて前記原稿と前記画像読取部との密着度を通知することにより、前記原稿と前記画像読取部との密着度が十分ではない箇所を通知することが好ましい。
【００１６】
この発明では、密着度通知装置は、原稿と画像読取部との密着度が十分ではない箇所を通知するので、この通知があった場合には、押圧部材におけるその箇所を押圧することにより、原稿における密着度が低い部分を押圧部材で押圧することができる。これにより、原稿と画像読取部との密着度が十分でない部分がある場合でも、原稿全体を十分な密着度にすることができ、密着度が十分な状態で画像の読み取りを行うことができる。この結果、より確実に、鮮明に原稿を読み取ることができる。
【００１７】
また、上記密着型画像読取装置において、前記読取開始指示部は、前記原稿と前記画像読取部との密着度は十分であるとの判定を行った後、一定時間内に前記画像読取部に対して前記原稿の画像の読み取りを開始させることが好ましい。
【００１８】
この発明では、原稿と画像読取部との密着度は十分であるとの判定を行った後、一定時間内に原稿の画像の読み取りを開始させるので、十分な密着度で画像を読み取る確実性を向上させることができる。つまり、原稿の画像を読み取る際には、原稿と画像読取部とが十分な密着度であると判定された場合にのみ読み取るが、密着度が十分であると判定された場合でも、時間の経過に伴って原稿と画像読取部の相対関係が変化する場合がある。この場合、十分な密着度ではなくなる場合があるので、密着度は十分であるとの判定を行った後、一定時間内に原稿の画像の読み取りを開始させることにより、十分な密着度で画像を読み取る確実性を向上させることができる。この結果、より確実に、鮮明に原稿を読み取ることができる。
【００１９】
また、上記密着型画像読取装置において、前記押圧部材には、前記原稿の画像を読み取ることができる第２画像読取部が設けられており、前記読取開始指示部で前記画像読取部に対して前記原稿の画像の読み取りを開始させる場合には、前記読取開始指示部は、前記第２画像読取部にも前記原稿の画像の読み取りを開始させることが好ましい。
【００２０】
この発明では、押圧部材に第２画像読取部が設けられているので、原稿の画像を読み取る場合には、原稿の両面を読み取ることができる。これにより、原稿の両面の画像を読み取る際に同時に読み取ることができるので、両面の読み取りを行う際に、容易に、且つ、短時間で読み取ることができる。また、読取開始指示部で画像読取部に対して原稿の画像の読み取りを開始させるのは、原稿と画像読取部との密着度が十分であると判定された場合であるが、この判定が行われる場合には、第２画像読取部と原稿との密着度も十分である状態になる。このため、原稿と画像読取部との密着度が十分であると判定された場合には、第２画像読取部にも原稿の画像の読み取りを開始させることにより、第２画像読取部でも鮮明に画像を読み取ることができる。これらの結果、より容易で確実に、原稿の両面を鮮明に読み取ることができる。
【発明の効果】
【００２１】
本発明に係る密着型画像読取装置は、より確実に、鮮明に原稿を読み取ることができる、という効果を奏する。
【図面の簡単な説明】
【００２２】
【図１】図１は、実施形態に係る密着型画像読取装置の外観を示す図であり、蓋部を閉じた状態を示す図である。
【図２】図２は、図１に示す密着型画像読取装置の蓋部を開いた状態を示す図である。
【図３】図３は、図２に示す画像読取部の構成を示す断面図である。
【図４】図４は、図１のＡ−Ａ断面図である。
【図５】図５は、図１に示す密着型画像読取装置の構成の概略を示す図である。
【図６】図６は、原稿の画像を読み取る場合における説明図である。
【図７】図７は、原稿の画像を読み取る場合における図１のＡ−Ａ断面図である。
【図８】図８は、原稿の画像を読み取る場合における読取動作の開始までの処理手順の概略を示すフロー図である。
【図９】図９は、実施形態に係る密着型画像読取装置の変形例を示す概略図である。
【図１０】図１０は、図９の密着型画像読取装置で原稿の画像を読み取る際の説明図である。
【図１１】図１１は、実施形態に係る密着型画像読取装置の変形例を示す概略図である。
【図１２】図１２は、図１１に示す密着型画像読取装置の蓋部を開いた状態を示す図である。
【発明を実施するための形態】
【００２３】
以下に、本発明に係る密着型画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２４】
〔実施形態〕
図１は、実施形態に係る密着型画像読取装置の外観を示す図であり、蓋部を閉じた状態を示す図である。図２は、図１に示す密着型画像読取装置の蓋部を開いた状態を示す図である。同図に示す密着型画像読取装置１は、共に薄型の略直方体、或いは略板状に形成された蓋部５と本体部６とを有しており、蓋部５と本体部６とは、双方の一辺がヒンジ８によって接続されている。これにより、蓋部５と本体部６とは、相対的に開閉可能に設けられている。また、このうち本体部６には、蓋部５を閉じた際における蓋部５側の面に、画像を読み取る画像読取部１５が設けられている。
【００２５】
さらに、本体部６には、画像読取部１５が設けられている面と同じ側の面に、距離の検出が可能な距離センサ３０が複数設けられている。本体部６における蓋部５側の面は、略矩形状の形状で形成されており、複数設けられる距離センサ３０は、このように形成される本体部６の４つの角部の付近に配設されている。即ち、距離センサ３０は画像読取部１５の周囲に４つ設けられており、４つの距離センサ３０は、本体部６の４隅に配設されている。この距離センサ３０は、画像読取部１５で画像を読み取る際に原稿と画像読取部１５との密着度を検出する密着度検出装置として設けられている。
【００２６】
また、この距離センサ３０は、非接触型のセンサにより設けられており、数１０μｍの単位で検出を行うことができる。非接触型のセンサとしては、例えば、レーザーや超音波を、距離を測る対象物に対して発射し、反射したレーザーや超音波を検出することにより距離を検出するレーザー方式や超音波方式を用いてもよく、また、永久磁石と、磁力の強さによって電力が変化する素子とを使用して距離検出する磁気方式等を用いてもよい。距離センサ３０は、このように非接触型のセンサであれば、その形式は問わない。
【００２７】
さらに、蓋部５や本体部６には、機械式センサや磁気センサ、または光センサ等により、双方の開閉の検出が可能な開閉検出機構（図示省略）が設けられている。
【００２８】
また、蓋部５には、本体部６に対向する側の面の反対側の面に、発光可能なＬＥＤ（Ｌｉｇｈｔ  Ｅｍｉｔｔｉｎｇ  Ｄｉｏｄｅ）１０が複数設けられている。蓋部５における本体部６に対向する側の面の反対側の面は、略矩形状の形状で形成されており、複数設けられるＬＥＤ１０は、このように形成される蓋部５の４つの角部の付近に配設されている。即ち、ＬＥＤ１０は蓋部５に４つ設けられており、このＬＥＤ１０は、蓋部５を閉じた際に、それぞれ距離センサ３０と重なる位置付近に配設されており、換言すると、蓋部５の４隅に、本体部６に設けられる４つの距離センサ３０に概ね対応する位置に配設されている。
【００２９】
また、蓋部５または本体部６には、原稿５０の画像を読み取る際に読み取りの開始の支持を行う、スタートボタン等の読取開始指示手段（図示省略）が設けられている。
【００３０】
図３は、図２に示す画像読取部の構成を示す断面図である。本体部６に設けられる画像読取部１５は、バックライト２５と、このバックライト２５上に設けられる透明なガラス基板２１と、ガラス基板２１上に所定の間隔で二次元配列状に複数が配設される受光部である受光素子２２とが、積層されて設けられている。このうち、ガラス基板２１上に配設される受光素子２２は、詳しくはガラス基板２１におけるバックライト２５が位置する側の反対側の面に配設されている。また、バックライト２５は、光源であるＬＥＤ２８と、このＬＥＤ２８で発した光をガラス基板２１全体に導く導光板２６及び反射板２７と、を備えている。
【００３１】
なお、バックライト２５が有する光源は、本実施形態に係る密着型画像読取装置１ではＬＥＤ２８を用いているが、この光源はＬＥＤ２８以外のものを用いてもよく、例えば、ＣＣＦＬ（Ｃｏｌｄ  Ｃａｔｈｏｄｅ  Ｆｌｕｏｒｅｓｃｅｎｔ  Ｌａｍｐ）等の光源を用いてもよい。
【００３２】
また、バックライト２５は、ガラス基板２１における受光素子２２が位置する側の反対側に設けられているが、このバックライト２５は、ＬＥＤ２８の発光時に、ＬＥＤ２８で発した光を導光板２６と反射板２７とによってガラス基板２１全体に導くことが可能になっており、また、ガラス基板２１は透明な部材により設けられている。これらのため、ＬＥＤ２８の発光時、即ち、バックライト２５の発光時には、バックライト２５からの光はガラス基板２１を透過し、複数の受光素子２２同士の間から、ガラス基板２１においてバックライト２５が位置する側の反対側の方向に照射される。
【００３３】
このように、透明に設けられるガラス基板２１上における複数の受光素子２２同士の間の部分は、バックライト２５の発光時に、この光を用いて、ガラス基板２１においてバックライト２５が位置する側の反対側の方向に発光可能な発光部２３として設けられている。つまり、ガラス基板２１上に配設される受光素子２２同士は離間しているので、発光部２３は、各受光素子２２の周囲にそれぞれ設けられた状態になっている。また、これらのようにガラス基板２１には受光素子２２が設けられていると共に発光部２３も設けられており、このため、受光素子２２を含めたガラス基板２１からなる層は、受光と発光とが可能な受発光層２０として設けられている。
【００３４】
このように設けられる画像読取部１５は、受発光層２０に設けられる受光素子２２で、原稿で反射した光を受光することにより、原稿の画像を読み取ることができるように設けられているため、画像読取部１５が原稿の画像を読み取る場合は、画像読取部１５において受光素子２２が設けられている側の面で読み取る。また、画像読取部１５は、原稿の画像を読み取る側の面の反対側に原稿を照射する照射光を発光するバックライト２５が配設されている。
【００３５】
図４は、図１のＡ−Ａ断面図である。本体部６には、画像読取部１５が設けられているが、この画像読取部１５は、本体部６に形成された画像読取部設置部３５に内設されている。この画像読取部設置部３５は、画像読取部１５を蓋部５の方向から見た場合における形状が、画像読取部１５よりも若干大きく、深さが画像読取部１５の厚さよりも深い、凹みにより形成されている。画像読取部１５は、このように形成される画像読取部設置部３５に内設され、さらに、画像読取部１５における蓋部５が位置する側の反対側には、弾性部材であるクッション材３６が配設されている。
【００３６】
このクッション材３６は、ポリウレタンやゴム材料等、弾性変形が可能で、弾力性を有する材料により形成されている。画像読取部１５は、当該画像読取部１５を蓋部５の方向に見た場合における形状が、略矩形状の形状で形成されているが、クッション材３６は、このように形成される画像読取部１５の４つの角部付近で、且つ、蓋部５が位置する側の反対側の面に配設されている。即ち、クッション材３６は、画像読取部設置部３５の底部と画像読取部１５との間に配設されて画像読取部１５を支持しており、画像読取部１５は、クッション材３６を介して画像読取部設置部３５に内設されている。
【００３７】
画像読取部１５は、このように弾性変形が可能なクッション材３６によって画像読取部設置部３５に内設されているため、画像読取部１５に荷重が付与された場合には、画像読取部１５はクッション材３６の弾性変形により画像読取部設置部３５で動くことができる。画像読取部１５は、このように付与される荷重によって動くことができるフローティング構造によって設けられている。
【００３８】
また、本体部６には、距離センサ３０が設けられているが、この距離センサ３０は、蓋部５を閉じた際における蓋部５側の面に設けられている。このため、蓋部５を閉じた状態では、距離センサ３０は蓋部５に対向する位置、及び向きで配設されており、蓋部５との距離の検出が可能に設けられている。
【００３９】
図５は、図１に示す密着型画像読取装置の構成の概略を示す図である。これらのように設けられる密着型画像読取装置１は、主制御基板４０によって制御可能になっている。この主制御基板４０には、処理部、記憶部及び入出力部が設けられており、このうち処理部には、各種の演算処理を行うＣＰＵ（Ｃｅｎｔｒａｌ  Ｐｒｏｃｅｓｓｉｎｇ  Ｕｎｉｔ）が設けられている。
【００４０】
また、処理部は、距離センサ３０の検出結果より、原稿を画像読取部１５で読み取る際における原稿の密着度を検出する密着度検出部４１と、密着度検出部４１での検出結果に基づいて、即ち、距離センサ３０での検出結果に基づいて、原稿と画像読取部１５との密着度は十分であるか否かの判定を行う密着度判定部４２と、密着度判定部４２の判定結果に基づいて画像読取部１５に対して原稿の画像の読み取りを開始させる読取開始指示部である読取起動部４３と、密着度判定部４２での判定結果に基づいてＬＥＤ１０を制御することによりＬＥＤ１０に原稿と画像読取部１５との密着度を表示させる密着度表示部４４と、を有している。
【００４１】
また、画像読取部１５、距離センサ３０、ＬＥＤ１０は、全て主制御基板４０に接続されている。これにより、密着度表示部４４は、密着度判定部４２での判定結果に基づいて原稿と画像読取部１５との密着度の状態をＬＥＤ１０に表示させることが可能になっており、読取起動部４３からの読取動作の開始の指示は、画像読取部１５に伝達可能になっている。また、距離センサ３０での検出結果は、密着度検出部４１に伝達可能になっている。
【００４２】
この実施形態に係る密着型画像読取装置１は、以上のごとき構成からなり、以下、その作用について説明する。図６は、原稿の画像を読み取る場合における説明図である。図７は、原稿の画像を読み取る場合における図１のＡ−Ａ断面図である。この密着型画像読取装置１は、通常の使用時には、画像読取部１５側を上方に向ける向きで本体部６を下側に位置させ、画像読取部１５に対して相対的に開閉可能な蓋部５を、本体部６に対する蓋として使用する。このように設けられる密着型画像読取装置１で、原稿５０の画像を読み取る場合について説明すると、まず蓋部５を開いた状態で、本体部６に設けられる画像読取部１５の上に原稿５０を置き、この状態でヒンジ８を回動中心として蓋部５を閉じる。これにより、原稿５０は蓋部５と本体部６とで挟み込まれ、原稿５０は、少なくとも一部が画像読取部１５に接触した状態になる。
【００４３】
また、原稿５０が蓋部５と本体部６とで挟み込まれた状態では、原稿５０は画像読取部１５側の反対側の面は少なくとも一部が蓋部５に接触した状態になる。即ち、原稿５０は、蓋部５と画像読取部１５との双方に接触した状態になるが、この状態で蓋部５を閉じる方向の力を大きくすると、この力は原稿５０に伝達される。このため、原稿５０は、画像読取部１５に接触する範囲が大きくなるが、この状態でさらに蓋部５を閉じる方向の力を大きくすると、この力は、原稿５０を介して画像読取部１５に伝達される。このように、蓋部５は、原稿５０を画像読取部１５に対して押圧可能な押圧部材として設けられている。
【００４４】
ここで、画像読取部１５における蓋部５側の面の反対側の面側には、クッション材３６が配設されており、画像読取部１５は、このクッション材３６を介して画像読取部設置部３５に内設されている。このように配設されることにより画像読取部１５を支持するクッション材３６は、弾力性を有しているので、画像読取部１５は、画像読取部設置部３５の深さ方向に弾力性を有する状態で画像読取部設置部３５に内設されている。
【００４５】
このため、蓋部５を閉じる方向の力が原稿５０を介して伝達された画像読取部１５は、その力に応じて当該画像読取部１５を支持するクッション材３６が弾性変形することにより、画像読取部設置部３５の底部側に沈む方向に移動する。この場合、クッション材３６が弾性変形し、画像読取部１５が沈み込む方向の力に対する反力により、原稿５０には、画像読取部１５から蓋部５の方向への力が付与される。即ち、原稿５０は、蓋部５を閉じる方向の力により、蓋部５と画像読取部１５との双方から力を受ける。これにより、例えば原稿５０が折れ曲がっていたり、原稿５０に皺があったりする場合でも、原稿５０は押し伸ばされ、原稿５０全体が画像読取部１５に密着した状態になる。また、画像読取部１５は、このようにクッション材３６の弾性変形によって沈み込む方向に移動可能になっているため、原稿５０の厚さに応じて画像読取部１５は沈み込み、それと同時に原稿５０に対して蓋部５の方向への力を付与するため、原稿５０は画像読取部１５に密着した状態になる。原稿５０の画像を画像読取部１５によって読み取る場合には、このように原稿５０を画像読取部１５に密接させた状態で読み取る。
【００４６】
原稿５０の画像は、このように原稿５０を画像読取部１５に密接させた状態で画像読取部１５によって読み取るが、次に、画像読取部１５による画像の読取動作について説明する。原稿５０の画像を読み取る場合は、原稿５０を画像読取部１５の受発光層２０におけるバックライト２５側の反対側に配置した状態で、画像読取部１５のバックライト２５が有するＬＥＤ２８を発光させる。ＬＥＤ２８で発した光は導光板２６で当該導光板２６全体に導かれ、また、反射板２７が位置している部分では、反射板２７によって反射する。このため、ＬＥＤ２８で発した光は、バックライト２５における反射板２７が位置している側の面の反対側の面から出光し、受発光層２０を照射する。即ち、画像の読み取り時には、ＬＥＤ２８を発光させることにより、バックライト２５で受発光層２０を照射する。
【００４７】
バックライト２５によって受発光層２０を照射した場合、バックライト２５からの光は受発光層２０が有するガラス基板２１を透過し、ガラス基板２１におけるバックライト２５が位置する側の面の反対側の面において、受光素子２２が配設されていない部分である発光部２３から原稿５０に向けて出光する。即ち、バックライト２５を発光させた場合には、発光部２３から原稿５０に対して照射する。
【００４８】
このように発光部２３から出光して原稿５０に到達した光は、原稿５０で反射をするが、その際に、原稿５０の表面の色など表面の状態に応じた反射光となって反射をする。原稿５０で反射した光は受発光層２０の方向に向かって反射し、受発光層２０に向かう。受発光層２０に向かった反射光は、受発光層２０における受光素子２２や発光部２３が位置している側の面から受発光層２０に到達する。これにより、受光素子２２は、原稿５０で反射した反射光を受光する。
【００４９】
原稿５０で反射した反射光は、原稿５０の表面の状態に応じた反射光になっており、受光素子２２は、受光した光に応じて電気信号を発生可能に設けられている。このため、原稿５０で反射した反射光を受光した受光素子２２は、受光した反射光が反射をした原稿５０の表面の状態に応じた電気信号を発生する。このように受光素子２２で発生した電気信号は、主制御基板４０に伝達され、主制御基板４０は、この電気信号を取得することにより、原稿５０における画像読取部１５が面している側の原稿５０の画像情報を取得する。これにより、原稿５０の画像を読み取る。
【００５０】
原稿５０の画像は、このように画像読取部１５が読取動作を行うことにより読み取るが、原稿５０の画像を読み取る場合には、距離センサ３０で、当該距離センサ３０に対向している蓋部５と距離センサ３０との距離を検出する。即ち、閉じられた状態の蓋部５と本体部６との距離を距離センサ３０で検出し、この距離が所定値以下の場合に読み取りを行う。
【００５１】
図８は、原稿の画像を読み取る場合における読取動作の開始までの処理手順の概略を示すフロー図である。次に、実施形態に係る密着型画像読取装置１で原稿５０の画像を読み取る場合の読取動作を開始するまでの制御方法、即ち、読取動作を開始するまでの処理手順の概略について説明する。実施形態に係る密着型画像読取装置１で原稿５０の画像を読み取る場合には、原稿５０を画像読取部１５上に載置した状態で蓋部５を閉じることにより、原稿５０を蓋部５と本体部６とで挟み込む。
【００５２】
この状態で、読取開始指示手段であるスタートボタンを用いて読取開始の指示を行うと、まず、複数の距離センサ３０の出力を検知する（ステップＳＴ１０１）。この検知は、密着度検出部４１で行う。即ち、読取開始の指示を行うと、複数設けられる距離センサ３０は、それぞれ距離センサ３０に対向する位置の蓋部５との距離を検出し、検出結果を電気信号として密着度検出部４１に出力する。その際に、距離センサ３０は、検出した距離が小さくなるに従って、大きな出力値の電気信号を出力する。なお、距離センサ３０は、距離に応じて出力値が変化するのではなく、所定の距離を境として、出力値が変化してもよい。例えば、検出した距離が所定の距離以下の場合に、電気信号の出力値が大きくなるように設けられていてもよい。
【００５３】
密着度検出部４１は、この電気信号を受信することにより、複数の距離センサ３０の出力を検知する。密着度検出装置である距離センサ３０は、距離センサ３０自体は画像読取部１５と同様に本体部６に設けられた状態で、このように原稿５０に対して押圧する蓋部５との距離を検出し、画像読取部１５と蓋部５との距離を検出することにより、検出したこの距離を介して原稿５０と画像読取部１５との密着度を検出する。
【００５４】
次に、全部の距離センサ３０が一定の出力以上であるか否かを判定する（ステップＳＴ１０２）。この判定は、密着度判定部４２で行う。密着度判定部４２は、画像読取部１５への原稿５０の密着度を判定する際における閾値として予め設定され、主制御基板４０の記憶部に記憶されている距離センサ３０の出力値の閾値と、密着度検出部４１で検知した距離センサ３０の出力値とを比較することにより、距離センサ３０が一定の出力であるか否かを判定する。その際に、密着度判定部４２は、複数の距離センサ３０の出力値を、個別に閾値と比較し、各出力値が閾値以上であるか否かを判定することにより、全部の距離センサ３０が一定の出力以上であるか否かを判定する。
【００５５】
密着度判定部４２は、この全部の距離センサ３０が一定の出力以上の場合、つまり、複数の距離センサ３０の検出結果が全て所定の基準を満たしている場合に、原稿５０と画像読取部１５との密着度は十分であるとの判定を行う。全部の距離センサ３０が一定の出力以上ではない場合には、原稿５０と画像読取部１５との密着度は十分ではないとの判定を行う。即ち、密着度判定部４２は、距離センサ３０での検出結果に基づいて原稿５０と画像読取部１５との密着度は十分であるか否かの判定を行う。
【００５６】
密着度判定部４２での判定（ステップＳＴ１０２）により、全部の距離センサ３０が一定の出力以上であると判定された場合には、読取動作を開始する（ステップＳＴ１０３）。つまり、密着度判定部４２は、全部の距離センサ３０が一定の出力以上であると判定した場合には、その判定結果を読取起動部４３に伝達する。密着度判定部４２から判定結果が伝達された読取起動部４３は、画像読取部１５を制御し、画像読取部１５を作動させて上述した画像読取部１５による画像の読取動作を画像読取部１５に行わせることにより、読取動作を開始する。その際に、読取起動部４３は、原稿５０と画像読取部１５との密着度は十分であるとの判定を行った後、一定時間内に画像読取部１５に対して原稿５０の画像の読み取りを開始させる。
【００５７】
これに対し、密着度判定部４２での判定（ステップＳＴ１０２）により、全部の距離センサ３０が一定の出力以上ではないと判定された場合、つまり、少なくとも１つ距離センサ３０が一定の出力未満であると判定された場合には、密着の不十分な箇所をユーザーに通知する（ステップＳＴ１０４）。この通知は、蓋部５に設けられるＬＥＤ１０の点灯状態を密着度表示部４４で制御することにより行う。蓋部５に設けられるＬＥＤ１０は、本体部６に設けられる４つの距離センサ３０と概ね対応する位置に４つが配設されているが、密着度表示部４４は、密着度判定部４２で一定の出力未満であると判定された距離センサ３０に対応する位置に配設されるＬＥＤ１０の点灯状態を、一定の出力以上であると判定された距離センサ３０に対応する位置に配設されるＬＥＤ１０の点灯状態と異ならせる制御を行う。
【００５８】
例えば、一定の出力以上であると判定された距離センサ３０に対応する位置に配設されるＬＥＤ１０のみ点灯させ、一定の出力未満であると判定された距離センサ３０に対応する位置に配設されるＬＥＤ１０は点灯させない、または、反対の点灯状態にする。または、距離センサ３０の出力状態に関わらずＬＥＤ１０を点灯させる場合には、一定の出力以上であると判定された距離センサ３０に対応する位置に配設されるＬＥＤ１０と、一定の出力未満であると判定された距離センサ３０に対応する位置に配設されるＬＥＤ１０とで、色を異ならせて点灯させる。
【００５９】
ここで、一定の出力未満であると判定された距離センサ３０が設けられている部分は、蓋部５と本体部６との距離が所定以上であり、画像読取部１５に対する原稿５０の密着が不十分であることを示している。このため、一定の出力以上であると判定された距離センサ３０と、一定の出力未満であると判定された距離センサ３０とで、それぞれの距離センサ３０に対応する位置、或いは概ね重なる位置に配設されるＬＥＤ１０とで点灯状態を異ならせることにより、一定の出力未満であると判定された距離センサ３０の位置、即ち、密着が不十分である位置をユーザーに通知することができる。従って、密着度表示部４４は、ＬＥＤ１０の点灯状態を制御することを介して、密着の不十分な箇所をユーザーに通知する。
【００６０】
また、蓋部５に設けられるＬＥＤ１０は、このように密着度判定部４２の判定結果に基づいて、密着度表示部４４によって点灯状態が制御されることにより、原稿５０と画像読取部１５との密着度を通知する密着度通知装置として設けられている。このように、密着度通知装置として設けられているＬＥＤ１０は、対応している距離センサ３０の検出結果に基づいて原稿５０と画像読取部１５との密着度を通知することにより、原稿５０と画像読取部１５との密着度が十分ではない箇所を通知する。
【００６１】
密着の不十分な箇所が通知された場合、ユーザーが密着の不十分な箇所を押圧する（ステップＳＴ１０５）。つまり、ユーザーは、ＬＥＤ１０によって、密着が不十分であると通知された部分付近の蓋部５を押圧することにより、この部分の蓋部５と本体部６とが近付く方向の力を加える。これにより、密着の不十分な箇所の蓋部５と本体部６との密着度を増加させ、この部分付近の原稿５０と画像読取部１５との密着度を増加させる。このように、ユーザーが密着の不十分な箇所を押圧したら、再び複数の距離センサ３０の出力を検知する（ステップＳＴ１０１）。
【００６２】
以上の密着型画像読取装置１は、原稿５０の画像を読み取る際には、原稿５０と画像読取部１５との密着度を検出する距離センサ３０での検出結果に基づいて、これらの密着度は十分であるか否かの判定を密着度判定部４２で行っている。さらに、この密着度判定部４２の判定結果に基づいて、読取起動部４３で画像読取部１５に対して原稿５０の画像の読み取りを開始させるので、密着度が十分である場合にのみ、画像の読み取りを行うことができる。また、密着度判定部４２の判定結果に基づいて原稿５０と画像読取部１５との密着度をＬＥＤ１０で密着型画像読取装置１のユーザーに通知する。これにより、密着度が十分ではないとの通知がＬＥＤ１０により行われた場合には、ユーザーが蓋部５で原稿５０を押圧することにより、密着度を上げることができる。従って、原稿５０と画像読取部１５との密着度が不十分である場合でも密着度を上げることができ、十分な密着度になったら、画像の読み取りを行うことができる。これらの結果、より確実に、鮮明に原稿５０を読み取ることができる。
【００６３】
また、距離センサ３０で原稿５０と画像読取部１５との密着度を検出する場合には、画像読取部１５と蓋部５との距離を検出することによって検出するので、検出が困難な原稿５０と画像読取部１５との密着度を、容易に検出することができる。この結果、鮮明な原稿５０の読み取りを、より容易に行うことができる。
【００６４】
また、原稿５０と画像読取部１５との密着度を検出する距離センサ３０に、非接触型のセンサを用いるので、より確実に密着度を検出することができる。つまり、接触型のセンサは、検出対象以外のものが接触した場合でも検知するので、誤検知をする場合があり、また、作動部分を有するセンサは、作動不良を起こした際に誤検知をする場合がある。これらに対し、非接触型のセンサによって距離センサ３０を設けた場合には、これらの不具合が発生せず、また、検出時における接触部や作動部分を設ける必要がないので、より確実に、且つ、容易に、密着度を検出することができる。この結果、より容易で確実に、原稿５０を鮮明に読み取ることができる。
【００６５】
また、密着度判定部４２は、全部の距離センサ３０が一定の出力以上の場合、即ち、複数の距離センサ３０の検出結果が全て所定の基準を満たしている場合に、原稿５０と画像読取部１５との密着度は十分であると判定する。これにより、場所によって異なる原稿５０と画像読取部１５との密着度が、全ての場所で十分であるか否かの判定を、より確実に行うことができる。この結果、より確実に、鮮明に原稿５０を読み取ることができる。
【００６６】
また、原稿５０と画像読取部１５との密着度を通知する密着度通知装置として設けられるＬＥＤ１０は、複数の距離センサ３０に対応して複数設けられており、このＬＥＤ１０は、対応している距離センサ３０の検出結果に基づいて、原稿５０と画像読取部１５との密着度が十分ではない箇所をユーザーに通知する。このため、この通知があった場合には、ユーザーが蓋部５におけるその押圧することにより、原稿５０における密着度が低い部分を蓋部５で押圧することができる。これにより、原稿５０と画像読取部１５との密着度が十分でない部分がある場合でも、原稿５０全体を十分な密着度にすることができ、密着度が十分な状態で画像の読み取りを行うことができる。この結果、より確実に、鮮明に原稿５０を読み取ることができる。
【００６７】
また、このように、原稿５０と画像読取部１５との密着度が十分ではない箇所をユーザーに通知する手段を設ける際に、複数のＬＥＤ１０によって設けているので、密着度が十分ではない箇所を通知する手段を、より容易に設けることができる。この結果、密着度通知装置の製造コストの低減を図ることができる。
【００６８】
また、密着度が十分ではない箇所を、複数のＬＥＤ１０を用いて通知するので、密着度が十分ではない箇所を、ユーザーに対して感覚的に通知することができる。これにより、密着度が十分ではない箇所の通知を、より確実に行うことができ、原稿５０と画像読取部１５との密着度が十分でない部分がある場合でも、より確実に、原稿５０全体を十分な密着度にすることができる。この結果、より確実に、鮮明に原稿５０を読み取ることができる。
【００６９】
また、読取起動部４３は、原稿５０と画像読取部１５との密着度は十分であるとの判定を密着度判定部４２で行った後、一定時間内に原稿５０の画像の読み取りを開始させるので、十分な密着度で画像を読み取る確実性を向上させることができる。つまり、原稿５０の画像を読み取る際には、原稿５０と画像読取部１５とが十分な密着度であると判定された場合にのみ読み取るが、密着度が十分であると判定された場合でも、時間の経過に伴って原稿５０と画像読取部１５との相対関係が変化する場合がある。例えば、ユーザーが密着型画像読取装置１を動かしたり、蓋部５を押す力を弱めたりした場合には、原稿５０と画像読取部１５との密着度が変化する場合がある。この場合、十分な密着度ではなくなる場合がある。従って、密着度は十分であるとの判定を密着度判定部４２で行った後、読取起動部４３で一定時間内に原稿５０の画像の読み取りを開始させることにより、十分な密着度で原稿５０の画像を読み取る確実性を向上させることができる。この結果、より確実に、鮮明に原稿５０を読み取ることができる。
【００７０】
また、画像読取部１５をフローティング構造によって設け、弾性部材であるクッション材３６によって画像読取部１５を支持しているので、原稿５０を蓋部５と本体部６との間に挟み込んだ際に、画像読取部１５を原稿５０の厚さに応じて沈み込ませると同時に、画像読取部１５から原稿５０に対して弾性力を付与することができる。これにより、原稿５０の画像の読み取り時に、原稿５０と画像読取部１５とを、より確実に密着させることができる。この結果、より確実に、鮮明に原稿５０を読み取ることができる。
【００７１】
なお、実施形態に係る密着型画像読取装置１では、距離センサ３０は蓋部５との距離を検出することを介して原稿５０と画像読取部１５との密着度を検出するが、距離センサ３０は、これ以外の手法により原稿５０と画像読取部１５との密着度を検出してもよい。図９は、実施形態に係る密着型画像読取装置の変形例を示す概略図である。この図９に示す密着型画像読取装置１では、画像読取部１５は、実施形態に係る密着型画像読取装置１の画像読取部１５のようなフローティング構造で設けられてはおらず、直接本体部６に固定されている。また、距離センサ３０は、このように本体部６に固定される画像読取部１５と一体となって設けられており、その位置は、画像読取部１５の４隅に配設されている。また、ＬＥＤ１０は、実施形態に係る密着型画像読取装置１のＬＥＤ１０と同様に蓋部５に設けられており、４つのＬＥＤ１０が、概ね距離センサ３０に対応する位置に配設されている。
【００７２】
図１０は、図９の密着型画像読取装置で原稿の画像を読み取る際の説明図である。このように設けられる密着型画像読取装置１で原稿５０の画像を読み取る場合には、実施形態に係る密着型画像読取装置１で原稿５０の画像を読み取る場合と同様に、原稿５０を画像読取部１５上に載置し、この状態で蓋部５を閉じることにより、原稿５０を蓋部５と本体部６とで挟み込む。距離センサ３０は、画像読取部１５に設けられているため、原稿５０を画像読取部１５上に載置した場合には、距離センサ３０に対向する位置には、原稿５０が位置することになる。このため、距離センサ３０は、原稿５０の画像の読み取り時に原稿５０と画像読取部１５との密着度を検出する場合には、原稿５０との距離を検出する。即ち、距離センサ３０は、原稿５０と画像読取部１５との距離を検出することにより、原稿５０と画像読取部１５との密着度を検出する。
【００７３】
距離センサ３０を、このように画像読取部１５に設けて、原稿５０との距離を検出するように設けた場合でも、全ての距離センサ３０が一定の出力以上であるか否かを判定することにより、原稿５０と画像読取部１５との密着度は十分であるか否かを判定することができる。また、距離センサ３０の検出対象を原稿５０にし、原稿５０と画像読取部１５との距離を直接検出することにより、より確実に、原稿５０と画像読取部１５との密着度を検出することができる。これにより、より正確に、原稿５０と画像読取部１５との密着度は十分であるか否かを判定することができ、十分な密着度になった場合に、画像の読み取りを行うことができる。この結果、より確実に、鮮明に原稿５０を読み取ることができる。
【００７４】
また、実施形態に係る密着型画像読取装置１では、密着度通知装置としてＬＥＤ１０が用いられているが、密着度通知装置はＬＥＤ１０以外のものを用いてもよい。また、画像読取部１５は、１つが本体部６に設けられているのみであるが、画像読取部１５は複数設けられていてもよい。図１１は、実施形態に係る密着型画像読取装置の変形例を示す概略図である。密着度通知装置としては、例えば、図１１に示すように、蓋部５における本体部６に対向する側の反対側の面に、画像表示部６５を設け、この画像表示部６５を密着度通知装置として用いてもよい。この画像表示部６５は、蓋部５の広範囲に渡って配設される液晶パネルによって設けられており、任意の画像が表示可能になっている。密着度表示部４４は、この画像表示部６５の表示を制御することにより、原稿５０と画像読取部１５との密着度を通知する。また、画像表示部６５には、表示された画像に応じて当該画像表示部６５を触れることにより入力操作を行うことができる、いわゆるタッチパネルが設けられており、画像表示部６５は、タッチパネル付き液晶パネルになっている。このため、画像表示部６５は、操作入力部としての機能も兼ね備えている。
【００７５】
図１２は、図１１に示す密着型画像読取装置の蓋部を開いた状態を示す図である。また、画像読取部１５は、本体部６に設けるのみでなく、図１２に示すように、押圧部材である蓋部５に、原稿５０の画像を読み取ることができる第２画像読取部６２を設けてもよい。即ち、この場合、本体部６には、実施形態に係る密着型画像読取装置１と同様に、画像読取部１５として第１画像読取部６１を設け、蓋部５には、蓋部５を閉じた際における本体部６側の面に第２画像読取部６２を設ける。これらの第１画像読取部６１と第２画像読取部６２とは、蓋部５と本体部６とを閉じた際に、重なり合う位置に配設されている。また、第２画像読取部６２は、第１画像読取部６１と同様な構成になっており、受発光層２０とバックライト２５とを有している（図３参照）。
【００７６】
このように設けられる密着型画像読取装置１で原稿５０の画像を読み取る場合には、原稿５０を第１画像読取部６１上に載置した状態で蓋部５を閉じることにより、原稿５０を蓋部５と本体部６とで挟み込む。これにより、原稿５０は、第１画像読取部６１と第２画像読取部６２とで挟み込まれた状態になり、即ち、原稿５０の両面に第１画像読取部６１と第２画像読取部６２とが位置する状態になる。
【００７７】
距離センサ３０は、この状態で原稿５０と第１画像読取部６１との密着度を検出し、この距離センサ３０での検出結果に基づいて密着度判定部４２で判定した原稿５０と第１画像読取部６１との密着度は、画像表示部６５によってユーザーに通知する。つまり、密着度表示部４４は、密着度判定部４２での判定結果に応じて画像表示部６５の表示を制御し、一定の出力未満の距離センサ３０がある場合には、その距離センサ３０が配設されている部分付近を表示することにより、ユーザーに通知する。この表示は、画像表示部６５は、蓋部５の広範囲に渡って配設されているため、一定の出力未満の距離センサ３０が配設されている部分付近を矢印等によって示してもよく、または、画像表示部６５に密着型画像読取装置１の外観図を表示し、表示した外観図を用いて、一定の出力未満の距離センサ３０が配設されている部分付近を示してもよい。
【００７８】
ユーザーは、このように画像表示部６５で通知された箇所、即ち、原稿５０と第１画像読取部６１との密着が不十分な箇所を押圧することにより、原稿５０と第１画像読取部６１との密着度を高める。これにより、原稿５０と第１画像読取部６１との密着度は十分であると密着度判定部４２で判定された場合には、読取起動部４３は、画像読取部１５に対して、読取動作を開始させる。即ち、原稿５０と第１画像読取部６１との密着度は十分であると判定された場合には、読取起動部４３は、第１画像読取部６１に対して原稿５０の画像の読み取りを開始させるが、この場合、読取起動部４３は、第２画像読取部６２にも原稿５０の画像の読み取りを開始させる。これにより、原稿５０の両面の画像を第１画像読取部６１と第２画像読取部６２とで読み取る。
【００７９】
このように、蓋部５に第２画像読取部６２を設けて第１画像読取部６１と第２画像読取部６２とで原稿５０の画像を読み取ることにより、原稿５０の両面を読み取ることができる。これにより、原稿５０の両面の画像を読み取る際に同時に読み取ることができるので、両面の読み取りを行う際に、容易に、且つ、短時間で読み取ることができる。また、読取起動部４３で第１画像読取部６１に対して原稿５０の画像の読み取りを開始させるのは、原稿５０と第１画像読取部６１との密着度が十分であると判定された場合であるが、この判定が行われる場合には、第２画像読取部６２と原稿５０との密着度も十分である状態になる。このため、原稿５０と第１画像読取部６１との密着度が十分であると判定された場合には、第２画像読取部６２にも原稿５０の画像の読み取りを開始させることにより、第２画像読取部６２でも鮮明に画像を読み取ることができる。これらの結果、より容易で確実に、原稿５０の両面を鮮明に読み取ることができる。
【００８０】
また、実施形態に係る密着型画像読取装置１では、ＬＥＤ１０と距離センサ３０とは、共に４つずつ設けられているが、ＬＥＤ１０と距離センサ３０とは、これ以外の数で設けられていてもよい。距離センサ３０は、原稿５０と画像読取部１５との密着度を検出できる程度の数が設けられていればよく、ＬＥＤ１０は、距離センサ３０で検出した密着度をユーザーに通知できる数が設けられていればよい。
【００８１】
また、上述した密着型画像読取装置１では、密着度通知装置としてＬＥＤ１０や画像表示部６５が用いられているが、密着度通知装置は、これ以外によって設けられていてもよい。密着度通知装置は、原稿５０と画像読取部１５との密着度を通知することができる手段であれば、その形態は問わない。同様に、上述した密着型画像読取装置１では、密着度検出装置として距離センサ３０が用いられているが、密着度検出装置も、距離センサ３０以外によって設けられていてもよく、密着度検出装置は、原稿５０と画像読取部１５との密着度を検出することができる手段であれば、その形態は問わない。
【００８２】
また、実施形態に係る密着型画像読取装置１では、画像読取部１５をフローティング構造によって設ける際に、画像読取部設置部３５とクッション材３６とによって設けているが、画像読取部１５をフローティング構造によって設ける場合には、これ以外の形態により構成してもよい。
【産業上の利用可能性】
【００８３】
以上のように、本発明に係る密着型画像読取装置は、画像を電気的に読み取る画像読取装置に有用であり、特に、画像を読み取る部分に原稿を密着させて読み取る密着型画像読取装置に適している。
【符号の説明】
【００８４】
１  密着型画像読取装置
５  蓋部
６  本体部
１０  ＬＥＤ
１５  画像読取部
３０  距離センサ
４０  主制御基板
４１  密着度検出部
４２  密着度判定部
４３  読取起動部
４４  密着度表示部
５０  原稿
６１  第１画像読取部
６２  第２画像読取部
６５  画像表示部
【図１】
2011188234.tif 000003
【図２】
2011188234.tif 000004
【図３】
2011188234.tif 000005
【図４】
2011188234.tif 000006
【図５】
2011188234.tif 000007
【図６】
2011188234.tif 000008
【図７】
2011188234.tif 000009
【図８】
2011188234.tif 000010
【図９】
2011188234.tif 000011
【図１０】
2011188234.tif 000012
【図１１】
2011188234.tif 000013
【図１２】
2011188234.tif 000014